(57)【要約】  本発明は、草巻付防止用草刈機の刃に係り、さらに詳しくは、韓国の品質経営及び工産品安全管理法第１９条第２項による自律安全確認対象工産品の安全基準に適合した草巻付防止用草刈機の刃に関する。このための本発明は、草刈機の回転力を印加する回転軸に設置される草刈機の刃において、前記草刈機の刃は、全体的に６角形の形状をなすとともに、第１刃部が形成された前面と第２刃部が形成された後面とをなして形成され、回転軸に挿入される第１固定孔が形成されており、第１固定孔を挟んで互いに対向する貫通溝が形成された水平刃を備え、前記貫通溝には垂直刃が挿入されてなることを特徴とする。【選択図】  図２
2019535233.tif 000002
【特許請求の範囲】
【請求項１】
草刈機の回転力を印加する回転軸に設置される草刈機の刃において、
前記草刈機の刃は、
全体的に６角形の形状をなすとともに、第１刃部が形成された前面と第２刃部が形成された後面とをなして形成され、回転軸に挿入される第１固定孔が形成されており、第１固定孔は、バルジングまたはドローイングにより側壁を一体に形成させ、側壁が上側ホルダの外側面を覆って草の巻付きを根本的に遮断するが、
第１固定孔を挟んで互いに対向する貫通溝が形成された水平刃を備え、
前記貫通溝には垂直刃が挿入されてなることを特徴とする草巻付防止用草刈機の刃。
【請求項２】
前記垂直刃は、水平刃の底面に設置されるベース板が形成され、前記第１固定孔と同一軸線上に形成された第２固定孔が形成され、第２固定孔を挟んでベース板の両側から互いに対向して突出延長された側面刃が一体に形成されたことを特徴とする請求項１に記載の草巻付防止用草刈機の刃。
【請求項３】
前記水平刃には、貫通溝が４つで形成され、垂直刃は、前記側面刃が４つで適用されてなることを特徴とする請求項２に記載の草巻付防止用草刈機の刃。
【発明の詳細な説明】
【技術分野】
【０００１】
本発明は、草巻付防止用草刈機の刃に係り、さらに詳しくは、韓国の品質経営及び工産品安全管理法第１９条第２項による自律安全確認対象工産品の安全基準に適合した草巻付防止用草刈機の刃に関する。
【背景技術】
【０００２】
携帯用動力草刈機は、畦畔と果樹園などの除草、墓なぎなどを簡便にするために、農家のみならず一般家庭にも多く普及されている。
【０００３】
このような携帯用動力草刈機は、背負ったり肩にかけたりして、刃を高速で回転させて作業するので、構造的に危険性を内包している。
【０００４】
特に、上記した危険性のうち、ユーザは、草刈機の刃により裂傷、刺傷などの怪我をしており、これに対する安全使用が求められている。
【０００５】
一方、韓国では、消費者が作業性と価格の面で、草刈機の刃のうち、二重刃を好み、二重刃が主に用いられており、二重刃のうちでも作業性に優れた一体型二重刃が好まれている。
【０００６】
韓国で、一体型二重刃が主に用いられることは、最初の普及時から二重刃が採用されて、多くのユーザが二重刃に慣れており、二重刃は作業性に優れ、草刈機を草以外に木を切るのにも使いやすいので、二重刃を用いてみた人は、なかなか三重刃、四重刃を用いないようにしているからである。
【０００７】
公知の例として、特許文献１の「草刈機用刃」が開示されており、二重刃の多様な使用状態を開示している。
【０００８】
上記した特許文献１は、草刈機の刃に備えられる補助刃部によって、ギアケースと刃との間またはギアケースに巻き付く草を事前に切断するように構成することにより、作業の効率性を高め、作業時間を短縮させ、ユーザの安全性と便宜性をさらに向上させている。
【０００９】
このような草刈機の刃は、品質経営及び工産品安全管理法第１９条第２項による自律安全確認対象工産品の安全基準に適合するように加工・使用されなければならない。
【００１０】
しかしながら、上記した特許文献１は、図１に示すように、第１、２加工部１１１、１２１と角部が９０度で形成されている。
【００１１】
このような第１、２加工部１１１、１２１と角部は、上記した品質経営及び工産品安全管理法上、鈍角、好ましくは９８度以上で形成されなければならないので、商業的に利用できないという問題点があった。
【先行技術文献】
【特許文献】
【００１２】
【特許文献１】韓国登録特許第１０−１５３１６６３号の「草刈機用刃」
【発明の概要】
【発明が解決しようとする課題】
【００１３】
本発明は、上記問題点に鑑みなされたものであり、本発明は、品質経営及び工産品安全管理法に適合するとともに、草刈り作業時に草の挟み込みを防止し、刃部が損傷しても反対面の刃部を用いるようにした草刈機の刃を提供することを目的とする。
【課題を解決するための手段】
【００１４】
上記目的を達成するための本発明は、草刈機の回転力を印加する回転軸に設置される草刈機の刃において、前記草刈機の刃は、全体的に６角形の形状をなすとともに、第１刃部が形成された前面と第２刃部が形成された後面とをなして形成され、回転軸に挿入される第１固定孔が形成されており、第１固定孔を挟んで互いに対向する貫通溝が形成された水平刃を備え、前記貫通溝には垂直刃が挿入されてなることを特徴とする。
【００１５】
また、本発明による垂直刃は、水平刃の底面に設置されるベース板が形成され、前記第１固定孔と同一軸線上に形成された第２固定孔が形成され、第２固定孔を挟んでベース板の両側から互いに対向して突出延長された側面刃が一体に形成されたことを特徴とする。
【００１６】
また、本発明に適用された水平刃には、貫通溝が４つで形成され、垂直刃は、前記側面刃が４つで適用されてなることを特徴とする。
【００１７】
本発明のまた他の目的及び効果は、以下の詳細な説明から明らかになり、本発明の好適な実施例を示す詳細な説明及び実施例は、本発明の範疇を制限するものではない。
【発明の効果】
【００１８】
本発明に係る草巻付防止用草刈機の刃によれば、水平刃の前面及び後面をなす第１刃部及び第２刃部を形成させ、第１刃部が損傷しても、水平刃をひっくり返して第２刃部を用いることができ、経済的であり、水平刃に垂直刃を結合させ、垂直刃により、草が上側ホルダと水平刃との間に挟んで巻き付くことを防ぎ、作業の効率を増大させることができるという効果がある。
【００１９】
また、品質経営及び工産品安全管理法に適合した二重刃を提供し、商業的に用いても問題がないという効果がある。
【図面の簡単な説明】
【００２０】
【図１】従来技術の草刈機用刃を示す図面である。
【図２】本発明に係る草巻付防止用草刈機の刃の組立状態を示す分解断面図である。
【図３】図２の組立断面図である。
【図４】（ａ）乃至（ｃ）は、本発明に適用された水平刃の一実施例及び他実施例を示す平面図である。
【図５】（ａ）及び（ｂ）は、本発明に適用された垂直刃の一実施例及び他実施例を示す平面図である。
【発明を実施するための形態】
【００２１】
本発明は、草刈機の回転力を印加する回転軸に設置される草刈機の刃において、前記草刈機の刃は、全体的に６角形の形状をなすとともに、第１刃部が形成された前面と第２刃部が形成された後面とをなして形成され、回転軸に挿入される第１固定孔が形成されており、第１固定孔は、バルジングまたはドローイングにより側壁を一体に形成させ、側壁が上側ホルダの外側面を覆って草の巻付きを根本的に遮断するが、第１固定孔を挟んで互いに対向する貫通溝が形成された水平刃を備え、前記貫通溝には垂直刃が挿入されてなる。
【００２２】
以下、添付された図面を参照して、本発明の好適な実施例について詳述する。先ず、図面にわたって機能的に同一または類似した部分には、同一の符号を用いる。
【００２３】
先ず、図２は、本発明に係る草巻付防止用草刈機の刃の組立状態を示す分解断面図であり、図３は、図２の組立断面図である。
【００２４】
図２及び図３に示すように、本発明に適用されたギアボックス１０は、内部のベベルギアなどにより、エンジンで発生した回転力を回転軸１２を介して伝達する。
【００２５】
回転軸１２にはスプライン１４が形成されており、その下端に螺子部１６が一体に形成されている。
【００２６】
スプライン１４には上側ホルダ１８が挿入され、上側ホルダ１８の下側には水平刃３０が挿入されている。
【００２７】
水平刃３０は、図４（ａ）に示すように、全体的に６角形の形状となっている。
【００２８】
本発明で用いられる前面はＡ方向を意味し、後面はＢ方向を意味し、左側面はＣ方向を意味し、右側面はＤ方向を意味する。
【００２９】
水平刃３０の前面には、第１刃部３２が形成され、後面には、第２刃部３４が形成されている。
【００３０】
第１刃部３２と第２刃部３４は、互いに交差する方向に刃が立てられており、例えば、左側方向の第１刃部３２と右側方向の第２刃部３４が時計方向に回転すると、このような両側の刃が草などを刈るようになる。
【００３１】
このような水平刃３０は、左右に互いに対称する形状であるため、ひっくり返して用いる場合も、前記第１刃部３２と第２刃部３４が同一の位置に設置される。
【００３２】
水平刃３０の重心には、第１固定孔３８が形成され、この第１固定孔３８に回転軸１２が挿入され、水平刃３０の上面は、上側ホルダ１８に密着している。
【００３３】
図示のように、本発明に適用された第１刃部３２と第２刃部３４は、側面Ｅとの角度αが９８度以上に形成され、品質経営及び工産品安全管理法に適合した構造からなっている。
【００３４】
さらに、水平刃３０には、第１固定孔３８を挟んで貫通溝３９が形成され、貫通溝３９は、図４の（ｂ）に示すように、貫通溝３９が４つで形成されてもよい。
【００３５】
貫通溝３９は、好ましくは、四角または長方形の形状からなる。
【００３６】
このような貫通溝３９には、本発明による垂直刃４０が設置される。
【００３７】
図５の（ａ）に示すように、垂直刃４０は、水平刃３０の第１固定孔３８と同一の軸線上に形成される第２固定孔４２が形成されており、第２固定孔４２の中心は、平面からみた垂直刃４０の重心である。
【００３８】
第２固定孔４２は、ベース板４４に形成されており、このベース板４４の両側に互いに対称する側面刃４６が突出して延長されている。
【００３９】
側面刃４６は、前記水平刃３０の貫通溝３９に挿入され、このとき、挿入された側面刃４６は、貫通溝３９に係止され回転時の離脱を防ぐ役割を行うようになる。
【００４０】
また、図４の（ｂ）に示すように、貫通溝３９が４つで形成された場合は、側面刃４６も、図５の（ｂ）に示すように、４つで備えられて形成されてもよい。
【００４１】
このような垂直刃４０は、水平刃３０の底面に設置されており、第２固定孔４２に回転軸１２が挿入される。
【００４２】
回転軸１２に挿入された垂直刃４０の底面には下側ホルダ５０が密着して、回転軸１２に挿入され、この下側ホルダ５０を固定密着させるように、安全板６０が回転軸１２に順次に挿入して設置される。
【００４３】
このように順次に回転軸１２に挿入されたそれぞれの付属は、ナットのような固定具７０により、回転軸１２の螺子部１６に締め付けられ、安全板６０を上向きに押して、各付属の堅固な結合を誘導するようになる。
【００４４】
このような垂直刃４０は、水平刃３０の上面から突出され、水平刃３０が回転すると、一緒に回転して、従来の使用時、水平刃３０と上側ホルダ１８との間に草が巻き付くことを防ぐようになる。
【００４５】
すなわち、垂直刃４０の側面刃４６は、巻き付いた草または巻き付こうとする草を切断させ、草の巻付きを防ぐことにより、エンジンを停止させ、巻き付いた草を除去するなどの煩雑な作業を行うことなく、作業の効率性を増大させるとともに、作業者が手で巻き付いた草を除去する危険性を減らすことができる。
【００４６】
一方、本発明は、図４（ｃ）に示すように、水平刃３０と上側ホルダ１８との間に草が巻き付くことを防ぐために、水平刃３０の第１固定孔３８を形成する場合、バルジングまたはドローイングにより側壁Ｗを一体に形成させ、この側壁Ｗが上側ホルダ１８の外側面を覆って草の巻付きを根本的に遮断することができる。  
【００４７】
本発明は、その精神または主要な特徴から逸脱することなく、他の多くの形態で実施することができる。このため、上述した実施例は、あらゆる点で単純な例示に過ぎず、限定的に解釈されてはならない。本発明の範囲は、特許請求の範囲により示され、明細書の本文によっては何らの拘束もされない。さらに、特許請求の範囲の均等範囲に属する変形や変更は、全て本発明の範囲内に含まれるものである。
【産業上の利用可能性】
【００４８】
本発明に係る草巻付防止用草刈機の刃は、水平刃の前面及び後面をなす第１刃部及び第２刃部を形成させ、第１刃部が損傷しても、水平刃をひっくり返して第２刃部を用いることができ、経済的であり、水平刃に垂直刃を結合させ、垂直刃により、草が上側ホルダと水平刃との間に挟んで巻き付くことを防ぎ、作業の効率を増大させることができるので、産業上の利用可能性が極めて高い発明である。
【符号の説明】
【００４９】
１０  ギアボックス
１８  上側ホルダ
３０  水平刃
４０  垂直刃
５０  下側ホルダ
６０  安全板
７０  固定具
【図１】
2019535233.tif 000003
【図２】
2019535233.tif 000004
【図３】
2019535233.tif 000005
【図４】
2019535233.tif 000006
【図５】
2019535233.tif 000007
【国際調査報告】
2019535233.tif 000008
2019535233.tif 000009
2019535233.tif 000010
2019535233.tif 000011